(57)【特許請求の範囲】
【請求項１】
振出式で連結される三以上の竿体を備える釣竿であって、
第１の竿体と、
前記第１の竿体の側部に開設された第１の貫通孔と、
前記第１の竿体の竿元側に位置し、振出状態で、穂先側が前記第１の竿体の竿元側と重畳する第２の竿体と、
前記第２の竿体の側部に開設された第２の貫通孔と、
前記第２の竿体の竿元側に位置し、振出状態で、穂先側が前記第２の竿体の竿元側と重畳する第３の竿体と、
前記第２の竿体に開設された第２の貫通孔より竿元側の竿体の外周に配設され、釣糸を挿通可能な複数の環状のガイドと
を備え、
前記第１の竿体及び第２の竿体は、前記第３の竿体に対し、内部に収納可能で、かつ振出可能な移動体であり、
振出状態で、前記第１の貫通孔及び第２の貫通孔が重畳して、釣糸を挿通可能に連通し、
前記第１の貫通孔が開設された位置から穂先部まで、竿体内部は釣糸を挿通可能な中空に形成されており、
前記第１の竿体は、開口した前記穂先部を有する最も穂先側の竿体である
ことを特徴とする釣竿。
【発明の詳細な説明】
【技術分野】
【０００１】
本発明は、振出式で連結される複数の竿体を備える釣竿に関する。
【背景技術】
【０００２】
竿元側に配置される筒状の竿体内に、穂先側に配置される竿体を収納可能に順次連結した振出式の釣竿が普及している。このような振出式の釣竿は、穂先側に位置する竿体を竿元側の竿体内部から順次引き出し連結することにより、一本の釣竿として使用することができる。そして、使用しない場合、振出式の釣竿は、穂先側の竿体を竿元側の竿体内部に順次挿入して収納することにより、全長を短くコンパクトにすることができる。振出式の釣竿では、各竿体の外周部にそれぞれ環状のガイドが配設され、配設された複数のガイドに釣糸を通すことにより、竿元に配設されたリールから穂先まで釣糸を案内する、所謂、外ガイド式の釣竿が広く普及している。
【０００３】
しかしながら、外ガイド式の釣竿では、釣糸が弛んだ場合、釣糸がガイドに絡まるというトラブルが発生する虞がある。特に、穂先又は穂先近傍のガイドに釣糸が巻き付き絡まる場合が多く、容易に解きほぐすことができないような事態にまでなることがある。
【０００４】
そこで、釣糸がガイドに絡まることがない釣竿として、竿元側から竿体の内部に釣糸を通し、穂先から釣糸を引き出した中通し式の釣竿が販売されており、また様々な改良品が開発されている（例えば、特許文献１参照）。
【先行技術文献】
【特許文献】
【０００５】
【特許文献１】特開平７−２２７１８１号公報
【発明の概要】
【発明が解決しようとする課題】
【０００６】
しかしながら、中通し式の釣竿には、釣糸の挿通が難しい等の様々な問題がある。
【０００７】
本発明は斯かる事情に鑑みたものであり、穂先部における釣糸の巻付きを抑制しながらも、釣糸の挿通が容易な釣竿の提供を目的とする。
【課題を解決するための手段】
【０００８】
上記課題を解決するために、本願記載の釣竿は、振出式で連結される三以上の竿体を備える釣竿であって、第１の竿体と、前記第１の竿体の側部に開設された第１の貫通孔と、前記第１の竿体の竿元側に位置し、振出状態で、穂先側が前記第１の竿体の竿元側と重畳する第２の竿体と、前記第２の竿体の側部に開設された第２の貫通孔と、前記第２の竿体の竿元側に位置し、振出状態で、穂先側が前記第２の竿体の竿元側と重畳する第３の竿体と、前記第２の竿体に開設された第２の貫通孔より竿元側の竿体の外周に配設され、釣糸を挿通可能な複数の環状のガイドとを備え、前記第１の竿体及び第２の竿体は、前記第３の竿体に対し、内部に収納可能で、かつ振出可能な移動体であり、振出状態で、前記第１の貫通孔及び第２の貫通孔が重畳して、釣糸を挿通可能に連通し、前記第１の貫通孔が開設された位置から穂先部まで、竿体内部は釣糸を挿通可能な中空に形成されており、前記第１の竿体は、開口した前記穂先部を有する最も穂先側の竿体であることを特徴とする。
【発明の効果】
【００１０】
本発明に係る釣竿は、穂先側に位置する竿体に開設された貫通孔から穂先部までの間に釣糸を挿通する。これにより、穂先部における釣糸の巻付きを抑制しながらも、竿元から穂先まで竿体内部を釣糸が挿通する一般的な中通し式の釣竿と比べて、釣糸の挿通が容易である等、優れた効果を奏する。
【図面の簡単な説明】
【００１１】
【図１】本発明に係る釣竿の外観の一例を示す概略外観図である。
【図２】本発明に係る釣竿の外観の一例の一部を拡大して示す概略外観図である。
【図３】本発明に係る釣竿の一例の一部を拡大して示す概略外観図である。
【図４】本発明に係る釣竿の一例の一部を拡大して示す模式図である。
【発明を実施するための形態】
【００１２】
以下、本発明の実施形態について図面を参照しながら説明する。なお、以下の実施形態は、本発明を具現化した一例であって、本発明の技術的範囲を限定する性格のものではない。
【００１３】
図１は、本発明に係る釣竿１の外観の一例を示す概略外観図である。図１は、釣竿１を側面から示す概略外観図であり、図１（ａ）は、釣竿１の全体の外観を示し、図１（ｂ）は、釣竿１の穂先近傍の外観を示している。図１に示す釣竿１は、所謂、振出竿であり、長尺円筒状をなす複数の竿体１０を順次振出式に連結して構成されている。釣竿１は、全体として竿元側から穂先側にかけて細くなるようにテーパー状に構成されている。釣竿１の穂先に位置する一番竿１１は、最小径の竿体１０であり、一番竿１１の竿元側に連結される竿体１０である二番竿１２は、一番竿１１より大径となるように構成され、更に二番竿１２の竿元側に連結される三番竿１３は、二番竿１２より大径となるように構成されている。このように、図１に例示する釣竿１は、穂先の一番竿１１から竿元の六番竿１６まで６本の竿体１０を順次振出式に連結し、更に六番竿１６の竿元側を把持部（グリップ）に固定して構成されている。なお、竿体１０の本数等の構成は適宜設計することが可能である。
【００１４】
このように構成された釣竿１は、穂先側に位置する竿体１０を竿元側の竿体１０内部から順次引き出した振出状態とすることにより、一本の釣竿１として使用することができる。そして、使用しない場合、釣竿１は、穂先側の竿体１０を竿元側の竿体１０内部に順次挿入して収納することにより、全長を短くコンパクトにすることができる。
【００１５】
釣竿１を構成する三番竿１３から六番竿１６までの各竿体１０には、穂先側の部位の外周に環状のガイド２が配設されており、更に、把持部の外周には、釣糸Ｌを巻き取るリール３が配設されている。図１（ｂ）に示すように二番竿１２の側部にあたる外周部分には、第２貫通孔１２０が開設されている。リール３から引き出された釣糸Ｌは、六番竿１６に配設されたガイド２から三番竿１３に配設されたガイド２まで順次挿通して案内され、更に、二番竿１２の第２貫通孔１２０を挿通し、一番竿１１の先端部分となる穂先部から外部へと引き出される。長尺円筒状をなす各竿体１０の内部は、釣糸Ｌを挿通可能な中空に形成されており、一番竿１１の先端部分は釣糸Ｌを挿通可能に開口している。穂先部から外部へ延伸される釣糸Ｌの先端部分には釣り針、錘等の図示しない仕掛けが結着されている。なお、ここでは穂先部として一番竿１１の先端に開設された開口から釣糸Ｌを引き出す形態を示しているが、先端近傍であれば、外周部分に釣糸Ｌを引き出すための開口を設けていても良い。即ち、ここでいう穂先部とは、最先端のみならず、先端の近傍をも含む概念である。
【００１６】
図２は、本発明に係る釣竿１の外観の一例の一部を拡大して示す概略外観図である。図２は、釣竿１の一番竿１１及び二番竿１２の重畳部分を拡大して示している。なお、二番竿１２の内部に収容される一番竿１１の部分については破線にて示している。図２は、振出状態における重畳部分を示しており、一番竿１１の竿元側が、二番竿１２の穂先側の内部に入り込み、一番竿１１の竿元側と二番竿１２の穂先側とが重畳して連結されている。図２に示すように一番竿１１の側部にあたる外周部分には、第１貫通孔１１０が開設されている。振出状態において、一番竿１１に開設された第１貫通孔１１０と、二番竿１２に開設された第２貫通孔１２０とは、釣糸Ｌを挿通可能に連通している。第１貫通孔１１０は、軸方向（釣竿１の長手方向）の内径が周方向の内径より長い長円状に形成されており、第２貫通孔１２０は軸方向の内径及び周方向の内径が略等しい円状に形成されている。そして、第１貫通孔１１０の軸方向の内径は、第２貫通孔１２０の軸方向の内径より長く、第１貫通孔１１０及び第２貫通孔１２０の周方向の内径は略等しくなるように形成されている。また、第１貫通孔１１０の開口部は、釣糸Ｌとの摩擦による損耗、竿体１０の強度の低下等の弊害を防止すべく、開口部に適合する長円状をなし、金属、樹脂等の材料で形成された補強部材１１１の嵌着等の加工がなされている。同様にして、第２貫通孔１２０の開口部にも、開口部に適合する環状をなす補強部材１２１の嵌着等の加工がなされている。更に、第２貫通孔１２０の開設による二番竿１２の強度低下を防止するため、略菱形状をなす金属、樹脂等の材料で形成された補強枠（フレーム）１２２が、補強部材１２１の周囲に配設されている。補強部材１２１及び補強枠１２２を第２貫通孔１２０の開口部に配設することにより、二番竿１２の強度が開口により低下することを防止することができる。なお、補強枠１２２の形状は略菱形状に限らず、適宜設計することが可能である。
【００１７】
図３は、本発明に係る釣竿１の一例の一部を拡大して示す概略外観図である。図３は、釣竿１の一番竿１１及び二番竿１２の重畳部分を拡大して示している。図３に例示する釣竿１は、一番竿１１の材質の一部を変更した形態を示している。一番竿１１には長円状をなす第１貫通孔１１０が開設されていることもあり、一番竿１１と二番竿１２との重畳部分は、他の竿体１０の重畳部分と比べ、また従来の振出式の釣竿１と比べて軸方向に長くなりがちである。このため、釣竿１のしなり具合（調子）が、理想的な曲線から外れる虞がある。図３に例示した一番竿１１は、竿体１０の穂先側となる竿体本体１１ａに、柔らかい樹脂等の材料を円筒状に形成した補助体１１ｂを連結して構成されている。竿体本体１１ａの竿元側には、補助体１１ｂの穂先側が連結されており、竿体本体１１ａの竿元側の外径と補助体１１ｂの穂先側の外径とは略同一となるように形成されている。即ち、一番竿１１は、振出状態で、二番竿１２と重畳する部分（補助体１１ｂ）が、他の部分（竿体本体１１ａ）より柔らかく可撓性が高くなるように選択された材料を用いて形成されている。ここでいう柔らかいとは、曲げ弾性率が高いという意味である。また、柔らかさ（曲げ弾性率）の比較は、重畳する部分（補助体１１ｂ）と、他の部分（竿体本体１１ａ）とにおいて、それぞれ連結部分の近傍を比較したものである。即ち、補助体１１ｂと、竿体本体１１ａの穂先部分とを比較したものではなく、補助体１１ｂと竿体本体１１ａとの略同一の外径となる連結部分の近傍の部位を比較した結果、補助体１１ｂの方が竿体本体１１ａより曲げ弾性率が高いということを示す。
【００１８】
一番竿１１と二番竿１２との重畳部分が長くなっても、柔軟な補助体１１ｂを竿体本体１１ａの竿元側に連結して一番竿１１を形成し、重畳部分の可撓性と他の部分の可撓性との差が不連続にならないようにして可撓性の境目を可及的になくすように設計することで、重畳部分で釣竿１のしなり具合が不自然にならないように構成することができる。
【００１９】
以上のように構成された上述の釣竿１は、穂先近傍にガイド２が配設されていないため、従来の外ガイド式の釣竿１と比べ、釣糸Ｌがガイド２に絡まるというトラブルの発生を抑制する等の効果を奏する。特に、釣糸Ｌは穂先近傍のガイド２に絡まり易いため、穂先側の一番竿１１及び二番竿１２のガイド２を排除しただけでも、その効果は顕著である。また、上述の釣竿１は、二番竿１２の穂先近傍から、実質的には一番竿１１のみの内部に釣糸Ｌを挿通するため、ほぼ全ての竿体１０の内部に釣糸Ｌを挿通させる従来の中通し式の釣竿１と比べ、釣糸Ｌの挿通が容易である等の効果を奏する。更に、上述の釣竿１は、従来の中通し式の釣竿１と比べ、釣糸Ｌが竿体１０内で詰まり難い等の効果を奏する。また、上述の釣竿１は、従来の中通し式の釣竿１と比べ、竿体１０の引き出し及び収納の際に、釣糸Ｌが複雑に屈曲することにより、竿体１０内で釣糸Ｌが絡まったり、連結する竿体１０の隙間に釣糸Ｌが噛み込むというトラブルが発生し難く、竿体１０の引き出し及び収納作業が容易である等の効果を奏する。上述の釣竿１が、竿体１０の引き出し及び収納作業が容易であるという効果は、釣糸Ｌが海水に濡れた場合等の竿体１０に張り付き易い場合の作業性において特に顕著である。
【００２０】
上述の釣竿１は、振出状態において一番竿１１と二番竿１２との重畳部分で連通するように一番竿１１の竿元側に第１貫通孔１１０を開設し、二番竿１２の穂先側に第２貫通孔１２０を開設している。例えば、連通する貫通孔を開設せず、一番竿１１のみに貫通孔を設けるものとし、重畳部分より穂先側に釣糸Ｌを挿通する貫通孔を開設した場合、釣糸Ｌが噛み込むため一番竿１１を二番竿１２に収納することが困難になる。また、二番竿１２のみに貫通孔を設けるものとし、重畳部分より竿元側に釣糸Ｌを挿通する貫通孔を開設した場合、貫通孔を挿通させた釣糸Ｌを更に一番竿１１の内部を挿通させる作業が困難となる。即ち、振出状態において、一番竿１１と二番竿１２との重畳部分で連通するように第１貫通孔１１０及び第２貫通孔１２０を開設することにより、上述の釣竿１は、一番竿１１を二番竿１２に収納する際の釣糸Ｌの噛み込みを防止することが可能であり、また、釣糸Ｌの挿通作業を容易にすることが可能とである。
【００２１】
また、上述の釣竿１は、一番竿１１に開設する第１貫通孔１１０を長円状に形成することにより、第１貫通孔１１０と第２貫通孔１２０とを連通させるための位置決めが容易となり、しかも、一番竿１１を二番竿１２から容易に引き出すことが可能であり、また引き出された一番竿１１を容易に二番竿１２に収納することが可能となる。
【００２２】
図４は、本発明に係る釣竿１の一例の一部を拡大して示す模式図である。図４は、二番竿１２の内部に一番竿１１が収納されている場合において、第１貫通孔１１０と第２貫通孔１２０とを連通させるための位置決めに関する作業を模式的に示している。なお、図４（ａ）が位置決め前の状態であり、図４（ｂ）が位置決め後の状態を示している。位置決め作業は、穂先側が上方を向くように釣竿１を立てた状態で行われる。一番竿１１の竿体１０及び二番竿１２の竿体１０の双方とも、竿元側から穂先側にかけて細くなるようにテーパー状に構成されている。従って、図４（ａ）に示すように、一番竿１１が二番竿１２の内部に収納されている状態において、一番竿１１は、二番竿１２の内部に隙間をもって遊嵌しており、周方向の回動及び軸方向の上下動が容易な状態となっている。ここで、一番竿１１の先端に開設された開口から引き出された釣糸Ｌを上方向へ引っ張り上げると、第１貫通孔１１０と第２貫通孔１２０との間を渡された釣糸Ｌの張力により、一番竿１１は、上方向に引き上げられながら、第１貫通孔１１０が第２貫通孔１２０と連通する位置にくるように周方向に回動する。そして、上方向へ引っ張った釣糸Ｌを緩め、再度、上方向へ引っ張り上げるという作業を繰り返すと、図４（ｂ）に示すように、第１貫通孔１１０と第２貫通孔１２０との周方向の位置が略一致する。このように、第１貫通孔１１０を長円状に形成することにより、第１貫通孔１１０と第２貫通孔１２０とを連通させるための位置決めを容易に行うことが可能となる。
【００２３】
また、一番竿１１を二番竿１２に収納した状態から引き出すに従って、重畳部分における一番竿１１の外径と二番竿１２の内径との差が小さくなる。一番竿１１の外径と二番竿１２の内径との差が、釣糸Ｌの外径と比べて十分に大きい場合には、釣糸Ｌが噛む状態とはなり難いが、一番竿１１を引き出すに従って、この差が小さくなり、一番竿１１と二番竿１２との間に釣糸Ｌが噛みやすくなる。ここで、第１貫通孔１１０を長円状に形成していると、一番竿１１を引き出したときに、釣糸Ｌは第１貫通孔１１０から一番竿１１の内部に入り込み易くなるため、一番竿１１と二番竿１２との間に釣糸Ｌが噛み込むことを防止することができる。即ち、一番竿１１に開設する第１貫通孔１１０を長円状に形成することにより、一番竿１１を二番竿１２から容易に引き出すことが可能であり、また、引き出された一番竿１１を容易に二番竿１２に収納することが可能である。なお、第１貫通孔１１０の軸方向の内径が周方向の内径より長い形状であれば、長円状で無くても良く、楕円状、対角線が軸方向となる菱形状、長辺が軸方向となる長方形状等の他の形状であっても良い。
【００２４】
本発明は、以上説明した実施形態に限定されるものではなく、他のいろいろな形態で実施することが可能である。そのため、上述した実施形態はあらゆる点で単なる例示にすぎず、限定的に解釈してはならない。本発明の範囲は請求の範囲によって示すものであって、明細書本文には、なんら拘束されない。更に、請求の範囲の均等範囲に属する変形及び変更は、全て本発明の範囲内のものである。
【００２５】
例えば、前記実施形態では、振出状態において一番竿１１と二番竿１２との重畳部分で連通するように一番竿１１の竿元側に第１貫通孔１１０を開設し、二番竿１２の穂先側に第２貫通孔１２０を開設する形態を示したが、本発明はこれに限るものではない。例えば、二番竿１２と三番竿１３との重畳部分で連通するように二番竿１２の竿元側に第１の貫通孔を開設し、三番竿１３の穂先側に第２の貫通孔を開設する等、様々な形態に展開することが可能である。即ち、釣糸Ｌを竿体内部に挿通可能な貫通孔が側部に開設されており、振出状態で、貫通孔が開設された位置が、竿元側より穂先側に近い位置となるのであれば、様々な形態に展開することが可能である。そして、そのような形態において、上述した釣糸Ｌの噛み込み及び挿通の作業性等の問題を解決することができるのであれば、二の竿体１０に連通させる貫通孔を開設するのではなく、一の竿体１０のみに貫通孔を設けるようにしても良い。
【符号の説明】
【００２６】
１      釣竿
１０    竿体
１１，１２，１３，…，１６    一番竿、二番竿、三番竿、…、六番竿
１１０  第１貫通孔
１１１  補強部材
１１ａ  竿体本体
１１ｂ  補助体
１２０  第２貫通孔
１２１  補強部材
１２２  補強枠
２      ガイド
３      リール
Ｌ      釣糸
【要約】
【課題】振出式で連結される複数の竿体を備える釣竿であって、穂先部における釣糸の巻き付きを抑制しながらも、竿元から穂先まで竿体内部を釣糸が挿通する一般的な中通し式の釣り竿と比べて、釣糸の挿通が容易な釣竿を提供する。
【解決手段】釣竿１は、最も穂先側の竿体１０である一番竿１１から、二番竿１２、…と複数の竿体１０が振出式で連結されている。一番竿１１の竿元側の側部には第１貫通孔１１０、二番竿１２の穂先側の側部には第２貫通孔１２０がそれぞれ開設されており、振出状態で第１貫通孔１１０及び第２貫通孔１２０は連通する。釣糸Ｌは、第１貫通孔１１０及び第２貫通孔１２０まで、釣竿１の外周に配設された環状のガイド２に挿通され、連通した第１貫通孔１１０及び第２貫通孔１２０から竿体内部へ入り、釣竿１の先端部分となる穂先部から外部へ引き出される。
【選択図】図１【図１】
0005925951.tif 000002
【図２】
0005925951.tif 000003
【図３】
0005925951.tif 000004
【図４】
0005925951.tif 000005